(57)【要約】    【課題】      通信モジュールの起動時における電流消費を抑制すること。    【解決手段】  基地局が発信するウエイクアップ信号を受信するための携帯電話無線部１１１、携帯電話無線部１１１が受信したウエイクアップ信号をもとにＷＣＤＭＡ通信モジュール１１０を起動する携帯電話Ｗａｋｅｕｐ制御部１１２を有するＷＣＤＭＡ通信モジュール１１０と、無線ＬＡＮのアクセスポイントを検索するＡＰ検索信号を発信するためのＷＬＡＮ無線部１２１、ＡＰ検索信号の発信周期を制御するＷＬＡＮ・ＡＰ検索周期制御部１２２を有する無線ＬＡＮ通信モジュール１２０を備え、ＨＯＳＴ・ＣＰＵ１４０により、携帯電話無線部１１１がウエイクアップ信号を受信する周期に同期して、ＷＬＡＮ無線部１２１がＡＰ検索信号を発信するようにＷＬＡＮ・ＡＰ検索周期制御部１２２を制御する。  【選択図】      図１
2007082057.tif 000002
【特許請求の範囲】
【請求項１】
第１の通信方式と第２の通信方式との複数の通信方式で通信可能な移動体通信端末装置であって、前記第１の通信方式により通信を行う第１の通信モジュールと、前記第２の通信方式により通信を行う第２の通信モジュールと、前記第１の通信モジュールが起動する周期に同期して前記第２の通信モジュールが起動するように前記第２の通信モジュールの起動周期を制御する制御手段と、を具備する移動体通信端末装置。
【請求項２】
前記第１の通信モジュールは、携帯電話ネットワークの基地局が発信するウエイクアップ信号を受信するための携帯電話無線部と、前記携帯電話無線部が受信した前記ウエイクアップ信号をもとに前記第１の通信モジュールを起動する携帯電話Ｗａｋｅｕｐ制御部と、を有し、
前記第２の通信モジュールは、無線ＬＡＮのアクセスポイントを検索するＡＰ検索信号を発信するためのＷＬＡＮ無線部と、前記ＷＬＡＮ無線部の前記ＡＰ検索信号の発信周期を制御するＷＬＡＮ・ＡＰ検索周期制御部と、を有し、
前記制御手段は、前記携帯電話無線部が前記ウエイクアップ信号を受信する周期に同期して、前記ＷＬＡＮ無線部が前記ＡＰ検索信号を発信するように前記ＷＬＡＮ・ＡＰ検索周期制御部を制御する請求項１記載の移動体通信端末装置。
【請求項３】
前記ＷＬＡＮ・ＡＰ検索周期制御部は、前記第１の通信モジュールの起動周期の倍数に同期して、前記ＷＬＡＮ無線部の前記ＡＰ検索信号の発信周期を制御する請求項２記載の移動体通信端末装置。
【請求項４】
前記第１の通信モジュールの起動周期に同期して、前記ＷＬＡＮ無線部が前記無線ＬＡＮの情報を取得する請求項１または請求項２のいずれかに記載の移動体通信端末装置。
【発明の詳細な説明】
【技術分野】
【０００１】
本発明は、移動体通信端末装置に関し、詳しくは、複数の通信方式で通信可能なデュアルモード対応の移動体通信端末装置に関する。
【背景技術】
【０００２】
従来、この種の移動体通信端末装置として、例えば、ＷＣＤＭＡ（Wideband Code Division Multiple Access）ネットワークの通信エリアで通信可能なＷＣＤＭＡ通信モジュールと、ＷＬＡＮ(Wireless Local Area Network)の通信エリアで通信可能な無線ＬＡＮ通信モジュールとを備えたＷＬＡＮ搭載携帯電話機が提案されている（例えば、特許文献１参照）。
【０００３】
図４は、特許文献１記載の移動体通信システムにおける通信エリアを示す図である。
【０００４】
図４に示すように、この移動体通信システムにおける通信エリアは、複数の基地局４１０，４２０により構成されるＷＣＤＭＡ通信エリア４１１，４２１と、複数のアクセスポイント（ＡＰ）４３０，４４０により構成されるホットスポット４３１，４４１とを備えている。
【０００５】
図４において、交換局４５０は、複数のＷＣＤＭＡ通信エリア４１１，４２１同士を接続してＷＣＤＭＡネットワークを形成し、また複数のアクセスポイント４３０，４４０同士を接続して無線ＬＡＮを形成している。
【０００６】
ここで、無線ＬＡＮのホットスポット４３１，４４１は、ＷＣＤＭＡネットワークのＷＣＤＭＡ通信エリア４１１，４２１よりも遙かに狭い領域となっている。
【０００７】
各基地局４１０，４２０は、それぞれのＷＣＤＭＡ通信エリア４１１，４２１内に存在しているＷＣＤＭＡ通信モジュールに対して、自局とのＷＣＤＭＡ通信が可能な状態にＷＣＤＭＡ通信モジュールを起動（Ｗａｋｅｕｐ）するためのＷａｋｅｕｐ信号を所定の周期で発信している（図５（ａ）参照）。
【０００８】
一方、ＷＬＡＮ搭載携帯電話機（以下、「デュアル端末」という）４６０，４７０の無線ＬＡＮ通信モジュールは、無線ＬＡＮのホットスポット４３１，４４１のアクセスポイント４３０，４４０を検索するために、ＷＬＡＮ無線部より所定の周期でＡＰ検索信号を発信している（図５（ｂ）参照）。
【０００９】
ＷＣＤＭＡ通信エリア４１１内に存在するデュアル端末４６０、およびホットスポット４４１内に存在するデュアル端末４７０は、それぞれの携帯電話無線部が基地局４１０から送られてくるＷａｋｅｕｐ信号を受信することにより、基地局４１０，４２０を介したＷＣＤＭＡ方式によるＷＣＤＭＡ通信が可能な状態に、それぞれのＷＣＤＭＡ通信モジュールが起動（携帯電話  Ｗａｋｅｕｐ）する（図６参照）。
【００１０】
また、ホットスポット４４１内に存在するデュアル端末４７０は、ＷＬＡＮ無線部が発信したＡＰ検索信号により検索したアクセスポイント４４０にアクセスすると、アクセスポイント４４０を介したＶｏＩＰ（Voice over Internet Protocol）やＳＩＰ（Session Initiation Protocol）などに基づくＩＰ通信が可能な状態に無線ＬＡＮ通信モジュールが起動（ＷＬＡＮ  Ｗａｋｅｕｐ）する（図６参照）。
【特許文献１】特開２００５−１３６５５３号公報
【発明の開示】
【発明が解決しようとする課題】
【００１１】
しかしながら、この種の従来のデュアル端末は、ＷＣＤＭＡ通信によるＷＣＤＭＡ通信モジュールの通話中および待受中に、常時、無線ＷＬＡＮ通信モジュールを起動（ＷＬＡＮ  Ｗａｋｅｕｐ）する必要があるため消費電流が大きくなるという課題があった。
【００１２】
本発明者らは、このような課題を解決すべく研究を重ねた結果、この種のデュアル端末における消費電流の増大の一因が、ＷＣＤＭＡ通信モジュールと無線ＬＡＮ通信モジュールとのＷａｋｅｕｐタイミングのずれに有ることを突き止めた。
【００１３】
すなわち、この種の従来のデュアル端末では、図５（ａ）に示すＷＣＤＭＡ通信モジュールの携帯電話無線部がＷａｋｅｕｐ信号を受信するタイミングと、図５（ｂ）に示す無線ＬＡＮ通信モジュールのＷＬＡＮ無線部がＡＰ検索信号を発信するタイミングとにずれがあることが判った。
【００１４】
これは、この種のデュアル端末におけるＷＣＤＭＡ通信モジュールと無線ＬＡＮ通信モジュールとが、それぞれ独自のタイミングで個別に起動するように構成されていることによる。
【００１５】
このため、この種の従来のデュアル端末においては、例えば図６に示すように、ＷＣＤＭＡ通信モジュールが起動（携帯電話  Ｗａｋｅｕｐ）する際の電流消費に加えて、無線ＬＡＮ通信モジュールが起動（ＷＬＡＮ  Ｗａｋｅｕｐ）する際にも同様の電流消費が生じて端末全体の消費電流を増大させているという問題があった。
【００１６】
本発明は、かかる点に鑑みてなされたもので、通信モジュールの起動時における電流消費を抑制することができる移動体通信端末装置を提供することを目的とする。
【課題を解決するための手段】
【００１７】
かかる課題を解決するため、本発明の移動体通信端末装置は、第１の通信方式と第２の通信方式との複数の通信方式で通信可能な移動体通信端末装置であって、前記第１の通信方式により通信を行う第１の通信モジュールと、前記第２の通信方式により通信を行う第２の通信モジュールと、前記第１の通信モジュールが起動する周期に同期して前記第２の通信モジュールが起動するように前記第２の通信モジュールの起動周期を制御する制御手段と、を具備する構成を採る。
【発明の効果】
【００１８】
本発明によれば、前記第１の通信モジュールの起動周期に同期して前記第２の通信モジュールが起動するので、前記第１の通信モジュールの起動時の立下りに要する時間分の消費電流と、前記第２の通信モジュールの起動時の立上りに要する時間分の消費電流とを節約して電流消費を抑制することができる。
【発明を実施するための最良の形態】
【００１９】
以下、本発明の実施の形態について、図面を参照して詳細に説明する。なお、各図において同一の構成または機能を有する構成要素及び相当部分には、同一の符号を付してその説明は繰り返さない。
【００２０】
図１は、本発明の一実施の形態に係る移動体通信端末装置の主要部の構成を示すブロック図である。
【００２１】
図１に示すように、本例の移動体通信端末装置１００は、第１の通信モジュールとしてのＷＣＤＭＡ通信モジュール１１０と、第２の通信モジュールとしての無線ＬＡＮ通信モジュール１２０と、記憶手段としてのメモリ１３０と、制御手段としてのＨＯＳＴ・ＣＰＵ１４０と、を備えている。
【００２２】
図１において、ＷＣＤＭＡ通信モジュール１１０は、携帯電話無線部１１１と、携帯電話Ｗａｋｅｕｐ制御部１１２とを備えている。
【００２３】
携帯電話無線部１１１は、例えば図４に示したＷＣＤＭＡ通信エリア４１１，４２１の基地局４１０，４２０から発信されるＷａｋｅｕｐ信号を受信する。
【００２４】
携帯電話Ｗａｋｅｕｐ制御部１１２は、携帯電話無線部１１１が受信したＷａｋｅｕｐ信号をもとにＷＣＤＭＡ通信モジュール１１０を起動する。
【００２５】
無線ＬＡＮ通信モジュール１２０は、ＷＬＡＮ無線部１２１と、ＷＬＡＮ・ＡＰ検索周期制御部１２２とを備えている。
【００２６】
ＷＬＡＮ無線部１２１は、例えば図４に示したホットスポット４３１，４４１のアクセスポイント４３０，４４０を検索するためのＡＰ検索信号を発信する。
【００２７】
ＷＬＡＮ・ＡＰ検索周期制御部１２２は、ＷＬＡＮ無線部１２１のＡＰ検索信号の発信周期、つまり無線ＬＡＮ通信エリアであるホットスポット４３１，４４１のアクセスポイント４３０，４４０を検索する周期を制御する。
【００２８】
メモリ１３０は、ＨＯＳＴ・ＣＰＵ１４０を動作させるためのＷａｋｅｕｐ周期プログラムが予め格納されている。
【００２９】
ＨＯＳＴ・ＣＰＵ１４０は、メモリ１３０に格納されているＷａｋｅｕｐ周期プログラムに従って、携帯電話Ｗａｋｅｕｐ制御部１１２およびＷＬＡＮ・ＡＰ検索周期制御部１２２を制御する。
【００３０】
メモリ１３０に格納されているＷａｋｅｕｐ周期プログラムがスタートすると、まず、ＨＯＳＴ・ＣＰＵ１４０は、携帯電話無線部１１１がウエイクアップ信号を受信したか否か判断する。
【００３１】
そして、携帯電話無線部１１１がウエイクアップ信号を受信すると、ＨＯＳＴ・ＣＰＵ１４０は、ＷＣＤＭＡ通信モジュール１１０を起動するように、携帯電話Ｗａｋｅｕｐ制御部１１２に指示を与える。
【００３２】
また、ＨＯＳＴ・ＣＰＵ１４０は、図２（ａ）に示すように、携帯電話無線部１１１がウエイクアップ信号を受信したタイミング、つまり携帯電話Ｗａｋｅｕｐ制御部１１２によりＷＣＤＭＡ通信モジュール１１０が起動するＷａｋｅｕｐ周期に同期して、図２（ｂ）に示すように、ＷＬＡＮ無線部１２１がＡＰ検索信号を発信するようにＷＬＡＮ・ＡＰ検索周期制御部１２２に指示を与える。
【００３３】
これにより、本例の移動体通信端末装置１００においては、例えば、待ち受け中にＷＣＤＭＡ通信モジュール１１０がアンテナバー表示等のイベントを実行するために、ＨＯＳＴ・ＣＰＵ１４０がＷａｋｅｕｐする周期に同期して、無線ＬＡＮのアクセスポイントの検索を実施することができようになる。
【００３４】
従って、本例の移動体通信端末装置１００においては、ＷＣＤＭＡ通信モジュール１１０の起動周期に同期して、無線ＬＡＮ通信モジュール１２０が起動するので、図３に示すように、ＷＣＤＭＡ通信モジュール１１０の起動時の立下りに要する時間分、および無線ＬＡＮ通信モジュール１２０の起動時の立上りに要する時間分の消費電流を節約することができる。
【００３５】
つまり、本例の移動体通信端末装置１００においては、図６に示した従来の携帯電話Ｗａｋｅｕｐ時の立下がり部分の消費電流と、従来のＷＬＡＮ  Ｗａｋｅｕｐ時の立上り部分の消費電流とを節約することができ、通信モジュールの起動時における電流消費を抑制することができる。
【００３６】
ここで、本例の移動体通信端末装置１００におけるＷＬＡＮ・ＡＰ検索周期制御部１２２は、位置情報やセルＩＤ、およびＲＳＳＩ等に応じてＷＬＡＮ無線部１２１のＡＰ検索信号の発信周期を可変するようにしてもよい。この場合、ＷＣＤＭＡ通信モジュール１１０の起動周期の倍数に同期して、ＷＬＡＮ無線部１２１のＡＰ検索信号の発信周期を制御することが好ましい。
【００３７】
つまり、ＷＬＡＮ無線部１２１のＡＰ検索信号の発信周期をＷＣＤＭＡ通信モジュール１１０の起動周期の倍数に同期させることにより、ＡＰ検索信号の発信間隔が長くなるので、ＡＰ検索信号の発信により消費される消費電流をより少なくすることができる。
【００３８】
また、本例の移動体通信端末装置１００においては、ＷＣＤＭＡ通信モジュール１１０の起動周期に同期して、ＷＬＡＮ無線部１２１が無線ＬＡＮの情報を取得するようにしてもよい。
【産業上の利用可能性】
【００３９】
本発明に係る移動体通信端末装置は、通信モジュールの起動時における電流消費を抑制することができるので、複数の通信方式で通信可能なデュアルモード対応の移動体通信端末装置として有用である。
【図面の簡単な説明】
【００４０】
【図１】本発明の一実施の形態に係る移動体通信端末装置の主要部の構成を示すブロック図
【図２】（ａ）は、本発明の一実施の形態に係る移動体通信端末装置における携帯電話無線部のＷａｋｅｕｐ信号の受信タイミング、（ｂ）は、ＷＬＡＮ無線部のＡＰ検索信号の発信タイミングを示すタイミングチャート
【図３】本発明の一実施の形態に係る移動体通信端末装置におけるＷＣＤＭＡ通信モジュールと無線ＬＡＮ通信モジュールとの起動時の消費電流を説明するためのグラフ
【図４】特許文献１記載の移動体通信システムにおける通信エリアを示す図
【図５】（ａ）は、従来のデュアル端末における携帯電話無線部のＷａｋｅｕｐ信号の受信タイミング、（ｂ）は、ＷＬＡＮ無線部のＡＰ検索信号の発信タイミングを示すタイミングチャート
【図６】従来のデュアル端末におけるＷＣＤＭＡ通信モジュールと無線ＬＡＮ通信モジュールとの起動時の消費電流を説明するためのグラフ
【符号の説明】
【００４１】
１００  移動体通信端末装置
１１０  ＷＣＤＭＡ通信モジュール
１１１  携帯電話無線部
１１２  携帯電話Ｗａｋｅｕｐ制御部
１２０  無線ＬＡＮ通信モジュール
１２１  ＷＬＡＮ無線部
１２２  ＷＬＡＮ・ＡＰ検索周期制御部
１３０  メモリ
１４０  ＨＯＳＴ・ＣＰＵ
【図１】
2007082057.tif 000003
【図２】
2007082057.tif 000004
【図３】
2007082057.tif 000005
【図４】
2007082057.tif 000006
【図５】
2007082057.tif 000007
【図６】
2007082057.tif 000008